(57)【特許請求の範囲】
【請求項１】
建物の一の外壁に隣接する手摺壁の背面と、該手摺壁の面方向に対して直角方向の他の外壁の側縁との間に隙間が形成された外壁の出隅部と手摺壁との交差構造において、
前記外壁の出隅部で且つ前記手摺壁の上方又は下方に配置される横断面形状が略Ｌ字型の出隅パネルと、該出隅パネルの下端又は上端に接続されて前記隙間に挿入される目板パネルとを備えると共に、
前記出隅パネルと前記目板パネルとを、前記出隅パネルの一方の背面と前記目板パネルの背面にそれぞれ固定される接続板と、該接続板に一側が固着され且つ他側が前記出隅パネルの他方の背面に固定される略く字型の固定板とからなる接続金物で接続したことを特徴とする外壁の出隅部と手摺壁との交差構造。
【発明の詳細な説明】
【０００１】
【発明の属する技術分野】
この発明は、建物における外壁の出隅部と手摺壁との交差構造に関する。
【０００２】
【従来の技術】
従来から、図８及び図９に示すように、建物の外壁１，２の出隅部Ａと手摺壁Ｂとが交差する部分においては、一の外壁１に隣接する手摺壁Ｂの背面Ｂ１と、該手摺壁Ｂの面方向に対して直角方向の他の外壁２の側縁２ａとの間に、所定間隔Ｌの隙間３が形成されることがある。
【０００３】
また、前記外壁１，２の出隅部Ａで且つ手摺壁Ｂの上方又は下方には横断面形状が略Ｌ字型の出隅パネルが配置されるが、上記のような場合において前記隙間３を塞ぐために、図１０に示すように、下方又は上方に突設された突出挿入部１４ａを有する出隅特殊パネル１４が用いられる。即ち、この出隅特殊パネル１４は、前記隙間３に突出挿入部１４ａを挿入するようにして手摺壁Ｂの上方又は下方に配置される。
【０００４】
【発明が解決しようとする課題】
しかしながら、上記のような出隅特殊パネル１４は、前記突出挿入部１４ａの強度が低いために破損し易いという問題点がある。
【０００５】
また、この出隅特殊パネル１４は、形状が複雑であるためにあらかじめ工場生産されているが、その建築現場への運搬や取扱いの際には、破損しないように細心の注意を払う必要があるという問題点がある。
【０００６】
この発明は、以上のような問題点に鑑みてなされたものであり、用いる出隅パネルが破損しにくく、運搬や取扱いが容易な外壁の出隅部と手摺壁との交差構造を提供することを目的とする。
【０００７】
【課題を解決するための手段】
上記目的を達成するための手段とするところは、建物の一の外壁に隣接する手摺壁の背面と、該手摺壁の面方向に対して直角方向の他の外壁の側縁との間に隙間が形成された外壁の出隅部と手摺壁との交差構造において、前記外壁の出隅部で且つ前記手摺壁の上方又は下方に配置される横断面形状が略Ｌ字型の出隅パネルと、該出隅パネルの下端又は上端に接続されて前記隙間に挿入される目板パネルとを備えると共に、前記出隅パネルと前記目板パネルとを、前記出隅パネルの一方の背面と前記目板パネルの背面にそれぞれ固定される接続板と、該接続板に一側が固着され且つ他側が前記出隅パネルの他方の背面に固定される略く字型の固定板とからなる接続金物で接続したことにある。
【０００９】
【発明の実施の形態】
以下、この発明の実施形態を図面に基づいて説明する。なお、既述の従来技術と同じ構成については、同一符号を付してその説明を省略する。
【００１０】
図１乃至図３に示すように、この実施形態は、建物の一の外壁１に隣接する手摺壁Ｂの背面Ｂ１と、該手摺壁Ｂの面方向に対して直角方向の他の外壁２の側縁２ａとの間に隙間３が形成された外壁１，２の出隅部Ａと手摺壁Ｂとの交差構造において、前記外壁１，２の出隅部Ａで且つ手摺壁Ｂの例えば上方に配置される出隅パネル４と、該出隅パネル４の例えば下端４ｂに接続されて前記隙間３に挿入される目板パネル５とを備えたものである。
【００１１】
前記手摺壁Ｂは一の外壁１に隣接して配置され、この手摺壁Ｂの面方向に対して直角方向に、前記他の外壁２が手摺壁Ｂの背面Ｂ１から所定間隔Ｌの隙間３を開けて配置されている。
【００１２】
前記出隅パネル４は、例えばＰＣ（プレキャストコンクリート）板等から横断面形状が略Ｌ字型に形成されている。そして、前記外壁１，２の出隅部Ａで、且つ、手摺壁Ｂの例えば上方に配置される。
【００１３】
前記目板パネル５は、例えばＰＣ板等から前記隙間３の間隔Ｌと略同程度か又は少し小さい幅に形成されている。そして、この実施形態のように前記出隅パネル４が手摺壁Ｂの上方に配置される場合には、図２及び図４に示すように、この目板パネル５は、出隅パネル４の下端４ｂに接続されて前記隙間３に挿入される。この場合、前記出隅パネル４の下方の手摺壁Ｂには、見栄えを向上させるために必要に応じて切欠部６を設けておいてもよい。
【００１４】
これら出隅パネル４と目板パネル５とは、例えば、図５及び図６に示すように、これらを接続する接続板７と、該接続板７に溶接等で固着された略く字型の固定板８とからなる接続金物９等で接続される。
【００１５】
前記接続板７は、出隅パネル４の一方の背面４ｃと目板パネル５の背面５ｃにボルト１０等でそれぞれ固定される。
【００１６】
前記固定板８は、出隅パネル４の背面４ｃ，４ｄ側の形状に適合するように略く字型に形成されている。そして、その一側８ａが前記接続板７に溶接等であらかじめ固着され、他側８ｂが前記出隅パネル４の他方の背面４ｄにボルト１０等で固定される。なお、この実施形態においては、固定板８を溶接等により接続板７に固着しているが、これに限定されるものではなく、例えば、所定形状に形成した板材から前記固定板８となる部分を折曲して接続板７と一体的に構成してもよい。
【００１７】
このように、前記出隅パネル４と目板パネル５とは別々に構成されているので、前記接続金物９等を用いれば、これらを建築現場で接続することができる。そのため、これらを未接続の分割した状態で建築現場まで運搬でき、しかもこの状態では取扱いも容易であるので、破損しにくいという利点がある。
【００１８】
また、前記接続金物９を用いる場合には、前記出隅パネル４と目板パネル５とをボルト１０等で簡単に接続できるため、手間がかからないという利点がある。更に、前記目板パネル５の背面５ｃと接続された出隅パネル４の一方の背面４ｃに加え、前記固定板８が出隅パネル４の他方の背面４ｄにも固定されるので、これら出隅パネル４と目板パネル５との接続強度が高いという利点もある。
【００１９】
上記のようにして目板パネル５を前記隙間３に挿入すると共に、出隅パネル４を所定位置に配置して図示しない梁等に固定した後は、図７に示すように、例えば、前記目板パネル５の背面５ｃにその一側１１ａが固定され、且つ、他側１１ｂが下方の梁Ｃ等に固定される略Ｗ字型の取付金物１１等を用いて、目板パネル５の下端５ｂ側を梁Ｃ等に取付ければよい。
【００２０】
【発明の効果】
以上のように、請求項１の発明によれば、前記外壁の出隅部で且つ前記手摺壁の上方又は下方に配置される横断面形状が略Ｌ字型の出隅パネルと、該出隅パネルの下端又は上端に接続されて前記隙間に挿入される目板パネルとを備え、これら出隅パネルと目板パネルとは別々に構成されているので、前記接続金物等を用いれば、これらを建築現場で接続することができる。そのため、これらを未接続の分割した状態で建築現場まで運搬でき、しかもこの状態では取扱いも容易であるので、破損しにくいという利点がある。また、前記出隅パネルと前記目板パネルとを、前記出隅パネルの一方の背面と前記目板パネルの背面にそれぞれ固定される接続板と、該接続板に一側が固着され且つ他側が前記出隅パネルの他方の背面に固定される略く字型の固定板とからなる接続金物で接続しているので、これら出隅パネルと目板パネルとの接続が簡単で手間がかからないと共に、接続強度も高いという利点がある。
【図面の簡単な説明】
【図１】この発明の実施形態に係る外壁の出隅部と手摺壁との交差構造を示す斜視説明図。
【図２】図１の手摺壁の背面側を示す要部拡大斜視図。
【図３】図１の要部拡大平面図。
【図４】下端に目板パネルを接続した出隅パネルを手摺壁の上方に配置する様子を示す要部拡大斜視図。
【図５】出隅パネルと目板パネルとを接続金物で接続した状態を示す要部拡大斜視図。
【図６】図５の分解斜視図。
【図７】目板パネルの下端側を取付金物で下方の梁に取付けた状態を示す要部拡大側断面図。
【図８】従来の外壁の出隅部と手摺壁との交差構造を示す斜視説明図。
【図９】図８の要部拡大平面図。
【図１０】図８の出隅特殊パネルの斜視図。
【符号の説明】
１  一の外壁
２  他の外壁
２ａ  側縁
Ａ  出隅部
Ｂ  手摺壁
Ｂ１  背面
３  隙間
４  出隅パネル
４ａ  上端
４ｂ  下端
４ｃ，４ｄ  背面
５  目板パネル
５ｃ  背面
７  接続板
８  固定板
８ａ  一側
８ｂ  他側
９  接続金物
【図１】
0003556059.tif 000002
【図２】
0003556059.tif 000003
【図３】
0003556059.tif 000004
【図４】
0003556059.tif 000005
【図５】
0003556059.tif 000006
【図６】
0003556059.tif 000007
【図７】
0003556059.tif 000008
【図８】
0003556059.tif 000009
【図９】
0003556059.tif 000010
【図１０】
0003556059.tif 000011